(57)【要約】【課題】水中カメラのＡＦの合焦速度が上がるように、合焦時に被写体の照度を上げかつ照射範囲を広げるようにできる水中カメラ用水中ライトを提供する。【解決手段】照明手段と、照明手段の照射範囲を制御するＴ／Ｗ制御手段２８と、照明手段の照度を制御する照度制御手段２９と、ＣＰＵ２６と、水中カメラとの信号を授受する通信手段２７と、を備えて成る水中カメラ用水中ライト２５において、通信手段２７が水中カメラ２０のフォーカスが合っていない旨の信号を受信したとき、ＣＰＵ２６がＴ／Ｗ制御手段２８に対して照射範囲を拡げる制御を指令するとともに照度制御手段２５に対して照度を上げる制御を指令するようにした。【選択図】    図１
2004163671.tif 000002
【特許請求の範囲】
【請求項１】
照明手段と、該照明手段の照射範囲を制御するＴ／Ｗ制御手段と、該照明手段の照度を制御する照度制御手段と、ＣＰＵと、水中カメラとの信号を授受する通信手段と、を備えて成る水中カメラ用水中ライトにおいて、
前記通信手段が水中カメラのフォーカスが合っていない旨の信号を受信したとき、前記ＣＰＵが前記Ｔ／Ｗ制御手段に対して照射範囲を拡げる制御を指令することを特徴とする水中カメラ用水中ライト。
【請求項２】
照明手段と、該照明手段の照射範囲を制御するＴ／Ｗ制御手段と、該照明手段の照度を制御する照度制御手段と、ＣＰＵと、水中カメラとの信号を授受する通信手段と、を備えて成る水中カメラ用水中ライトにおいて、
前記通信手段が水中カメラのフォーカスが合っていない旨の信号を受信したとき、前記ＣＰＵが前記照度制御手段に対して照度を上げる制御を指令することを特徴とする水中カメラ用水中ライト。
【請求項３】
前記通信手段が水中カメラのフォーカスが合った旨の信号を受信したとき、前記ＣＰＵが前記Ｔ／Ｗ制御手段に対しておよび前記照度制御手段に対してそれぞれ照射範囲および照度を通常の設定にすることを指令することを特徴とする請求項１または２記載の水中カメラ用水中ライト。
【請求項４】
照明手段と、該照明手段の照射範囲を制御するＴ／Ｗ制御手段と、該照明手段の照度を制御する照度制御手段と、ＣＰＵと、水中カメラとの信号を授受する通信手段と、を備えて成る水中カメラ用水中ライトにおいて、
前記通信手段が水中カメラのズーム中である旨の信号を受信したとき、前記ＣＰＵが前記Ｔ／Ｗ制御手段に対して照射範囲を前記ズームに合わせる制御を指令することを特徴とする水中カメラ用水中ライト。
【発明の詳細な説明】
【０００１】
【発明の属する技術分野】
本発明は、水中カメラ用水中ライトに関する。
【０００２】
【従来の技術】
従来公知の水中カメラとしては特許文献１および２に記載のものがある。
【０００３】
【特許文献１】
特開２００１−３３８５２号公報
【特許文献２】
特開２００１−２２８５１７号公報
【０００４】
特許文献１記載の水中ライトは、水中カメラシステムに対し接続して機能させることのできるライトを提供するもので、水中静止画撮影の直前・直後には自動的にライトを点灯し、ストロボの照射方向確認や撮影後の被写体の状況把握等に有効ならしめるものである。
【０００５】
特許文献２記載の水中ライトは、水中撮影用ストロボの光軸の設定・確認をきわめて容易に確実にできるようにするもので、カメラ側のシャッター幕開放のタイミングにほぼ同期して、自動的に消灯する機構をもつレーザダイオード製のターゲットライトを備えたものである。
【０００６】
しかしながら、これらはいずれも水中撮影時に被写体の方向を確認してフォーカスを合わせるための水中ライトで撮影時にライトをオン、オフさせるものであるが、しかしながら夜間など暗い水中での撮影時はこれらはフォーカスが合わず、ファインダー内で被写体の方向を一旦見失ったときには制御ができなくなってしまい、暗い水中で再び被写体をとらえるのは困難であった。
【０００７】
【発明が解決しようとする課題】
本発明はこれらの課題を解決するもので、水中撮影時に、
（１）水中カメラのフォーカスが合っていない時には、迅速にフォーカスを合いやすくさせると共に、
（２）ズームを使用してもフォーカスが合いやすくさせるようにする水中カメラ用水中ライトを提供することにある。
（３）暗い水中での撮影でも被写体を見逃しにくくさせる。
【０００８】
【課題を解決するための手段】
上記課題を解決するために、請求項１記載の水中カメラ用水中ライトの発明は、照明手段と、該照明手段の照射範囲を制御するＴ／Ｗ制御手段と、該照明手段の照度を制御する照度制御手段と、ＣＰＵと、水中カメラとの信号を授受する通信手段と、を備えて成る水中カメラ用水中ライトにおいて、前記通信手段が水中カメラのフォーカスが合っていない旨の信号を受信したとき、前記ＣＰＵが前記Ｔ／Ｗ制御手段に対して照射範囲を拡げる制御を指令することを特徴とする。
このような構成にすることにより、水中撮影時にフォーカスが合っていない時には自動的に水中ライトの照射範囲が拡がるので、フォーカスを合いやすくさせることができるようになる。また、暗い水中下でも被写体を見逃しにくくさせることができる。
【０００９】
また、請求項２記載の水中カメラ用水中ライトの発明は、照明手段と、該照明手段の照射範囲を制御するＴ／Ｗ制御手段と、該照明手段の照度を制御する照度制御手段と、ＣＰＵと、水中カメラとの信号を授受する通信手段と、を備えて成る水中カメラ用水中ライトにおいて、前記通信手段が水中カメラのフォーカスが合っていない旨の信号を受信したとき、前記ＣＰＵが前記照度制御手段に対して照度を上げる制御を指令することを特徴とする。
このような構成にすることにより、水中撮影時にフォーカスが合っていない時には自動的に水中ライトの照度が上がるので、フォーカスを合いやすくさせることができるようになる。
【００１０】
さらに、請求項３記載の発明は、請求項１または２記載の水中カメラ用水中ライトにおいて、前記通信手段が水中カメラのフォーカスが合った旨の信号を受信したとき、前記ＣＰＵが前記Ｔ／Ｗ制御手段に対しておよび前記照度制御手段に対してそれぞれ照射範囲および照度を通常の設定にすることを指令することを特徴とする。
このような構成にすることにより、水中撮影時に請求項１および２の水中カメラを用いると迅速にフォーカスを合わすことができ、フォーカスが合った状態では、照射範囲および照度を通常の設定に自動的に戻すので、使い易い水中ライトを構成することとなる。
そして、請求項４記載の水中カメラ用水中ライトの発明は、照明手段と、該照明手段の照射範囲を制御するＴ／Ｗ制御手段と、該照明手段の照度を制御する照度制御手段と、ＣＰＵと、水中カメラとの信号を授受する通信手段と、を備えて成る水中カメラ用水中ライトにおいて、前記通信手段が水中カメラのズーム中である旨の信号を受信したとき、前記ＣＰＵが前記Ｔ／Ｗ制御手段に対して照射範囲を前記ズームに合わせる制御を指令することを特徴とする。
このような構成にすることにより、水中撮影時にズームに合わせて照射範囲が自動的に変更されるので、使い易い水中ライトを構成することとなる。
【００１１】
【本発明の実施の形態】
以下に、本発明について図面に基づいて詳細に説明する。
図１は本発明に係る水中カメラ用水中ライトおよび水中カメラのブロック図である。
図１において、２０は水中カメラで、この水中カメラ２０の中に、ＣＰＵ２１、別体の水中ライトとの信号の授受を行う通信部２２、ＡＦ（オート・フォカシング）部２３、光学系（ズーム）２４がそれぞれ備わっている。
一方、２５は水中ライトで、この水中ライト２５の中に、ＣＰＵ２６、前記水中カメラとの信号の授受を行う通信部２７、Ｔ／Ｗ制御部２８、照度制御部２９がそれぞれ備わっている。
【００１２】
図２は図１の水中カメラと水中ライトを用いた水中撮影装置を説明する図である。
図２において、３０は水中カメラ、３１は水中ライト、３２は水中ストロボ、３３はＴ／Ｗ装置、３４はステー、３０１はシャッター、３１１は水中ライト制御コード、３２１は水中ストロボ制御コードである。
通信部２２と通信部２７間の信号の授受は光ファイバーを用いた有線か赤外線による無線で行なわれる。
【００１３】
図３は図１の水中カメラと水中ライトを用いた本発明の第１の実施の形態に係る水中ライトが行なう制御のフロー図を示している。図３において水中ライト３１の照明下で被写体Ｈ（魚）を水中カメラ３０で撮影する場合を想定する。
スタートすると、まずブロックＡを実行する。ブロックＡは本発明の第２の実施の形態であるので後述する。ブロックＡを実行した後、ステップ１０５へ移り、水中カメラ２０（図１）のＣＰＵ２１がＡＦ部２３に対してＡＦピントがＯＫか問い、回答がＡＦ部２３からＣＰＵ２１、ＣＰＵ２１からＣＰＵ２６へと伝えられる。
ＡＦピントがＯＫ（ピントが合っている。）であればステップ１０８へ進み、照射範囲および照度を通常の設定にするループに入る。
一方、ＡＦピントがＮＯ（ピントが合っていない。）であれば、本発明の第１の実施の形態に係るループに入る。すなわち、ステップ１０６で、ＣＰＵ２６（図１）は水中ライト２５の照度ｕｐを照度制御部２９に対して指令する。
続いて、ステップ１０７で、ＣＰＵ２６（図１）は水中ライト２５の照度範囲の拡大をＴ／Ｗ制御部２８に対して指令する。
これによりズームがワイドとなり、しかも照度が明るいのでＡＦピントが合焦しやすくなる。そしてふたたびステップ１０５へ進む。
【００１４】
他方、通常の設定ループであるステップ１０８では、水中ライト２５の照度をＤｏｗｎして、ステップ１０８で水中ライト２５側のズームＴ範囲を決め、ステップ１１０でシャッターボタンの押圧を確認したら水中ライト２５を消灯して撮影中に写り込む不都合がないようにし（ステップ１１１）、シャッターを閉じる（ステップ１１２）。
ステップ１１０でシャッターボタンが所定時間内に押圧されなかったときは、初めのスタート直後へ戻る。
以上のように、本発明の第１の実施の形態に係る水中ライトによれば、フォーカシング中は撮影範囲内にあるターゲットライトの照射範囲を広げるとともに照度をあげて、水中カメラのＡＦの合焦速度をあげさせるようにしている。
【００１５】
図４は水中ライト使用下でのファインダー内の状態を模式的に示す図で、（ａ）は本発明の水中ライトによるもの、（ｂ）は従来の水中ライトによものをそれぞれ示している。
図４（ａ）から判るように、本発明の水中ライトによる照射状態下では、ファインダー内の照度範囲（ｄ１）が広がり、かつ照度が上がっているので、被写体Ｈの焦点が合わせ易くなる。
一方、従来の水中ライトの場合である図４（ｂ）では、ファインダー内の照度範囲（ｄ２）が狭く、かつ照度も低い。したがって、これでは被写体Ｈの焦点が合わせ難く、時間がかかる。
【００１６】
なお、このようにして迅速に合焦した後は、第１の実施の形態によれば、照射範囲や照度を通常の設定にして、被写体Ｈを驚かせないようにしている。
【００１７】
図５は図１の水中カメラと水中ライトを用いた本発明の第２の実施の形態に係る水中ライトが行なう制御のフロー図を示している。
スタートすると、本発明の第２の実施の形態に係るブロックＡに進む。ブロックＡはズーム時の制御を説明するチャートである。
まず、ステップ１０１で水中カメラ２０（図２）のＣＰＵ２１が光学（ズーム）２４がズームＷ（ワイド）であるか調べ、Ｙｅｓであればステップ１０２へ行って、水中カメラ２０の通信部２２から水中ライト２５の通信部２７へズームＷ情報が送られ、水中ライト２５のＣＰＵ２６がＴ／Ｗ制御部２８に対して水中カメラ２０のズームＷに対応した水中ライト２５のズームＷを指令する。
また、ステップ１０１でズームＷがＮｏであれば、ステップ１０３へ進み、ズームＴ（ターゲット）であるか調べ、Ｙｅｓであればステップ１０４へ行って、水中カメラ２０の通信部２２から水中ライト２５の通信部２７へズームＴ情報が送られ水中ライト２５のＣＰＵ２６がＴ／Ｗ制御部２８に対して水中ライト２５のズームＴを指令する。
【００１８】
以上のように、本発明の第２の実施の形態によれば、さらに、水中カメラ２０のズームに合わせて、水中ライト２５のズームＴを指令して対応する照射範囲に変更させるようにしているので、ズーム操作が行い易くなる。
【００１９】
【発明の効果】
以上のように、本発明の第１の実施の形態に係る水中ライトによれば、フォーカシング中は撮影範囲内にあるターゲットライトの照射範囲を広げるとともに照度をあげるようにしているので、水中カメラのＡＦの合焦速度が上がることとなる。また、暗い水中下でも被写体を見逃しにくくさせる。
また、本発明の第２の実施の形態によれば、さらに、水中カメラ２０のズームに合わせて、水中ライト２５のズームＴを指令して対応する照射範囲に変更させるようにしているので、ズーム操作が行い易くなる。
【図面の簡単な説明】
【図１】本発明に係る水中カメラ用水中ライトおよび水中カメラのブロック図である。
【図２】図１の水中カメラと水中ライトを用いた水中撮影装置を説明する図である。
【図３】図１の水中ライトが行なう制御のフロー図を示している。
【図４】図４は水中ライト使用下でのファインダー内の状態を示す図で、（ａ）は本発明の水中ライトによるもの、（ｂ）は従来の水中ライトによものをそれぞれ示している。
【図５】本発明の第２の実施の形態に係る水中ライトの制御のフロー図を示している。
【符号の説明】
２０  水中カメラ
２１  ＣＰＵ
２２  通信部
２３  ＡＦ部
２４  光学系（ズーム）
２５  水中ライト
２６  ＣＰＵ
２７  通信部
２８  Ｔ／Ｗ制御部
２９  照度制御部
【図１】
2004163671.tif 000003
【図２】
2004163671.tif 000004
【図３】
2004163671.tif 000005
【図４】
2004163671.tif 000006
【図５】
2004163671.tif 000007